(57)【要約】【課題】作業期間が短縮できると共に、施工コストが抑制できる表示シートの施工工事に用いられる治具および表示シートの施工方法を提供する。【解決手段】建物Ｂの屋上ＴからロープＲを垂下させ、ロープＲに作業員が装着した安全帯を連結させて吊り下がる。このとき、作業員が装着した安全帯に垂下したロープＲを連結すると共に、治具３０をロープＲに吊り下げる。この治具３０は、ロール状の表示シートが載置される受け台と、受け台を吊り下げるための吊り下げ部材とを備えている。このように治具３０を装着してロープＲから壁面Ｗに吊り下がり作業を行うことで、一人で作業を行うことができるので、足場の設置などが不要であるため、工期の短縮、コストの抑制を図ることができる。【選択図】図１
2012078587.tif 000002
【特許請求の範囲】
【請求項１】
ロール状の表示シートが載置される受け台と、
前記表示シートを設置する設置面より高い位置から垂下したロープであって、作業員が装着した安全帯に連結した前記ロープに前記受け台を吊り下げる吊り下げ部材とを備えたことを特徴とする表示シートの施工工事に用いられる治具。
【請求項２】
前記受け台には、前記ロール状の表示シートを回転自在に支持すると共に、前記表示シートの軸線方向の移動を規制して、前記表示シートの落下を防止する表示シート保持手段が設けられている請求項１記載の表示シートの施工工事に用いられる治具。
【請求項３】
前記受け台には、前記表示シートの裏面の接着面から剥がし、ロール状とした剥離シートを保持する剥離シート保持手段が設けられている請求項１または２記載の表示シートの施工工事に用いられる治具。
【請求項４】
表示シートの設置面より高い位置からロープを垂下させ、
前記ロープに作業員が装着した安全帯を連結させて吊り下がり、前記設置面の上部まで降下し、
前記設置面を下降しながら、前記表示シートを設置面に設置することを特徴とする表示シートの施工方法。
【請求項５】
ロール状の表示シートの接着面を保護する剥離シートを剥がしつつ、前記表示シートの接着面を設置面に接着させて、前記表示シートを設置面に貼着させる請求項４記載の表示シートの施工方法。
【請求項６】
前記安全帯から足掛けロープを吊り下げ、前記足掛けロープに作業員が足を掛けて前記表示シートを設置面に設置する請求項４または５記載の表示シートの施工方法。
【請求項７】
前記ロープを建築物の高所から垂下させる際に、前記ロープと建築物との摺動部分を保護する保護具を前記ロープに巻いてに装着し、前記保護具に設けられた前記ロープへの接続手段により、前記保護具を前記ロープに接続する請求項４から６のいずれかの項に記載の表示シートの施工方法。
【請求項８】
前記表示シートを前記設置面に設置するときに使用する複数の工具を、それぞれ色分けしたロープにより吊り下げて作業する請求項４から７のいずれかの項に記載の表示シートの施工方法。
【発明の詳細な説明】
【技術分野】
【０００１】
本発明は、建物の壁面や看板の表示面、屋上に設置された塔などに表示シートを貼り付けるための技術に関するものである。
【背景技術】
【０００２】
広告や案内が表示された表示シートは、広い範囲の大勢の通行人から見えるようにするために、建物の壁面や屋上に設置された塔などに取り付けられる。このような表示シートを設置する技術に関して、例えば、特許文献１に記載されたものが知られている。
【０００３】
特許文献１には、広告シートの外側縁に沿ってリード通路を予め形成してから、このリード通路にリード線を挿通した後に、この側部広告シートを外壁上に設置し、その後、この設置された側部広告シートのリード線の一端に引張りワイヤ又は引張りロープを係合させる一方、リード線を引張ることによりこの引張りワイヤ又は引張りロープをリード通路内に挿通し、この挿通された引張りワイヤ又は引張りロープを介して少なくとも側部広告シートに巾方向の張力を加えて外壁面に固定する大型屋外広告情報表示方法が記載されている。この従来の施工方法によれば、広告シートを地上において巻上げ機を巻いて引き上げることで、高所などであっても足場などを用いることなくセットできる。
【先行技術文献】
【特許文献】
【０００４】
【特許文献１】特開２００２−３５８０４０号公報
【発明の概要】
【発明が解決しようとする課題】
【０００５】
しかし、特許文献１に記載の大型屋外広告情報表示方法では、広告シートにリード通路を設ける必要がある。また、広告シートを昇降させるための巻き上げ機を準備する必要がある。
【０００６】
近年では、表示面の反対側の裏面に接着材が塗布された表示シートが普及している。この表示シートは、接着面に貼着された剥離紙を剥ぎ取りながら、壁面に貼り付けられる。このような表示シートは、複数枚連続させて隙間無く配置することができるので、全体で一枚の広告や案内を構成することができ、表示シートの境目が通行人から視認できないようにすることで、意匠性の高い広告や案内を形成することができる。
【０００７】
裏面が接着面となった表示シートの場合には、地上から巻き上げ機などで引き上げることができないため、やはり、旧来から行われているように、建物の周囲に設置場所まで届くような足場などを施工工事のために組むことなるため、足場を組むための期間、足場を解体するための期間などが作業期間に付加され、作業期間が増大するだけでなく、施工費用も増大してしまう。従って、表示シートが設置面に貼り付けられるようなものであっても、容易に施工できる技術が望まれている。
【０００８】
そこで本発明は、作業期間が短縮できると共に、施工コストが抑制できる表示シートの施工工事に用いられる治具および表示シートの施工方法を提供することを目的とする。
【課題を解決するための手段】
【０００９】
本発明の表示シートの施工工事に用いられる治具は、ロール状の表示シートが載置される受け台と、前記表示シートを設置する設置面より高い位置から垂下したロープであって、作業員が装着した安全帯に連結した前記ロープに前記受け台を吊り下げる吊り下げ部材とを備えたことを特徴とする。
本発明の治具は、受け台にロール状の表示シートを載置して、作業員の安全帯に連結したロープに吊り下げることができるので、作業員がロープに吊り下がった状態でロール状の表示シートを抱えることなく、貼り付ける作業を行うことができるので、ロープに吊り下がった状態で一人で作業を行うことができる。従って、高所の作業において足場を組む必要がないので、短期間に作業を終えることができる。また、本発明の治具はロープに吊り下げられていることで、ロール状の表示シートを含む治具の荷重は安全帯ではなく、ロープに掛かるので、作業者が本発明の治具を吊り下げても作業の負担にならない。
【００１０】
前記受け台には、前記ロール状の表示シートを回転自在に支持すると共に、前記表示シートの軸線方向の移動を規制して、前記表示シートの落下を防止する表示シート保持手段が設けられているのが望ましい。表示シート保持手段がロール状の表示シートの軸線方向の移動を規制することで、表示シートの落下を防止するので、通行人などの安全を確保することができる。
【００１１】
前記受け台には、前記表示シートの裏面の接着面から剥がし、ロール状とした剥離シートを保持する剥離シート保持手段が設けられているのが望ましい。上下方向に長い表示シートであれば、表示シートから剥がした剥離シートは作業が進むに連れて徐々に長くなる。高所作業では思いがけない強い風が吹くことがあるため、剥離シートが風に煽られてしまう。受け台にロール状となった剥離シートを保持する剥離シート保持手段が設けられていることにより、不要となった剥離シートを保持させることができるので、余剰の剥離シートが作業の邪魔となることが防止できると共に、安全に作業を行うことができる。
【００１２】
本発明の表示シートの施工方法は、表示シートの設置面より高い位置からロープを垂下させ、前記ロープに作業員が装着した安全帯を連結させて吊り下がり、前記設置面の上部まで降下し、前記設置面を下降しながら、前記表示シートを設置面に設置することを特徴とする。
作業者が表示シートを設置面に設置するときに、表示シートの設置面より高い位置から垂下させたロープを吊り下がり、設置面の上部から下部に向かって下降しながら表示シートを設置面に順次設置する作業を行うことで、高所の作業においても足場を組む必要がないので、短期間に作業を終えることができる。
【００１３】
ロール状の表示シートの接着面を保護する剥離シートを剥がしつつ、前記表示シートの接着面を設置面に接着させて、前記表示シートを設置面に貼着させれば、表示シートを上部から下部に向かってスムーズに作業を行うことができる。
【００１４】
前記安全帯から足掛けロープを吊り下げ、前記足掛けロープに作業員が足を掛けて前記表示シートを設置面に設置すれば、吊り下がった作業員が脚を踏ん張りながら作業を行うことができるので、設置面に足を掛けるところがなくても、安定した状態で作業を行うことができる。
【００１５】
前記ロープを建築物の高所から垂下させる際に、前記ロープと建築物との摺動部分を保護する保護具を前記ロープに巻いてに装着し、前記保護具に設けられた前記ロープへの接続手段により、前記保護具を前記ロープに接続するのが望ましい。保護具をロープに装着すれば、ロープが揺動して建築物に摺動しても、ロープを保護することができるので、安全に作業を行うことができる。また、ロープに荷重が掛かり伸張しても、保護具にはロープに接続する接続手段が設けられているため、ロープの伸張と共に保護具がスライドして、滑り落ちてしまうことが防止できるので、安全性を更に向上させることができる。
【００１６】
前記表示シートを前記設置面に設置するときに使用する複数の工具を、それぞれ色分けしたロープにより吊り下げて作業すると、工具を収納する場所が不要であり、工具を使用するときには色分けしたロープを目印に工具を手繰り寄せれば、すぐに工具を手に取ることができる。
【発明の効果】
【００１７】
本発明は、ロープに吊り下がった状態で一人で作業を行うことができるので、足場を組む必要がない。従って、作業期間が短縮できると共に、施工コストが抑制できる。また、足場を設置する場所が必要ないので、足場を組むためのクレーン車が入り込めない施工工事でも行うことができる。
【図面の簡単な説明】
【００１８】
【図１】本発明の実施の形態に係る表示シートの施工方法を説明するための図である。
【図２】ロープに取り付けられる保護具を説明するための図であり、（Ａ）はロープに装着した状態を示す斜視図、（Ｂ）は開いた状態を示す斜視図である。
【図３】本発明の実施の形態に係る表示シートの施工工事に用いられる治具を装着した状態を示す図である。
【図４】図３に示す治具を示す斜視図である。
【図５】図３に示す治具を示す平面図である。
【発明を実施するための形態】
【００１９】
本発明の実施の形態に係る表示シートの施工方法および表示シートの施工工事に用いられる治具を、図面に基づいて説明する。
本実施の形態では、図１に示すように、建築物である建物Ｂの壁面Ｗに、帯状のおもて面に広告の表示が印刷された広告シートである表示シートＤを貼り付ける際の施工方法を説明する。
【００２０】
まず、作業員は、ロープＲの基端を建物Ｂの屋上Ｔの固定物に繋ぐ。固定物は作業員の荷重がロープＲに掛かっても破損したり移動したりしないものを選択する。例えば、屋上Ｔに設置された貯水タンＷＴの台部を利用する。
そして、ロープＲを設置面である壁面Ｗに沿って垂らす。このとき、ロープＲと建物Ｂとの摺動部分となる角部に、ロープＲに設けられた保護具１０の位置を合わせる。ここで、保護具１０について、図２（Ａ）および同図（Ｂ）に基づいて説明する。
【００２１】
図２に示すように、保護具１０は、リング部材１１と、リング部材１１とロープＲとを結ぶ紐部材１２とにより形成された接続手段によりロープＲに接続される。
保護具１０は、開いた状態が矩形状に形成され、閉じると管状となるように、両端辺に沿った内側面に面状ファスナー１３が設けられている。保護具１０は、表地が布地により形成され、裏面にゴムまたは合成樹脂により内張が施されている。この保護具１０は、例えば、消火ホースを軸線に沿って開いたものが使用できる。このように保護具１０が形成されていることで、ロープＲが上下に微動して、建物Ｂの屋上Ｔの角部に摺動しても、保護具１０に穴が開いたり、裂けたりしない程度の強度を有している。
【００２２】
リング部材１１は、保護具１０の一端側の中央に設けられた穴に挿通させることで接続されている。紐状部材１２は、一端がリング部材１２を挿通し、他端がロープＲにプルージングノットにより結び付けられている。ロープＲへの接続が紐状部材１２により結び付けられていることで、紐状部材１２に荷重が掛かると結び目がしっかりと締まり保護具１０のズレが規制され、緩めるとロープＲの接続位置を容易に変更することができるので、作業条件に応じて保護具１０の位置を変更することができる。
【００２３】
このような保護具１０によりロープＲを保護することで、安全に作業を行うことができる。また、作業者の荷重によりロープＲが伸張しても、保護具１０はロープＲに紐状部材１２により接続されているので、保護具１０の移動が規制される。従って、保護具１０が建物Ｂとの摺動部分からずれてしまうことを防止することができる。なお、本実施の形態では、紐状部材１２がロープＲにプルージングノットにより結び付けられているが、ロープＲへの接続部分の移動が容易であり、保護具１０が移動しようとしたときに紐状部材１２が引っ張られることで、ロープＲへの結び目がしっかりと締まり保護具１０のズレが規制される結び方であれば、他の結び方で接続してもよい。
【００２４】
次に、図３に示すように、ロープＲに作業者が装着した安全帯２０に設けられたリング部材２１に、治具３０を取り付ける。ここで、治具３０について、図３から図５に基づいて説明する。
治具３０は、表示シートが載置される受け台３１と、受け台３１を安全帯２０から吊り下げる吊り下げ部材３２とを備えている。
【００２５】
受け台３１は、管体を軸線に沿って半分に分割した半管状に形成された台本体３１１と、台本体３１１の両端部に設けられた略半円状の柱部３１２と、柱部３１２の頂部同士に跨る梁部３１３と、梁部３１３の中央に設けられた吊り下げるためのリング部材３１４を備えている。
本実施の形態では、台本体３１１として直径がロール状の表示シートＤよりも大きい樋状部材を使用している。また、本実施の形態では、柱部３１２としてＵ字状の棒状部材により形成されている。梁部３１３は、角材により形成されている。
【００２６】
吊り下げ部材３２は、紐状部材３２１と一部が開放となるリング部材３２２とにより形成され、一端がリング部材３１４に結ばれている共に、他端がリング部材３２２により安全帯２０がロープＲに吊り下がるためのリング部材２１に接続される。
【００２７】
この受け台３１には、ロール状の表示シートＤを載置したときに、表示シートＤのロールの軸心に挿通させて、表示シートの落下を防止する表示シート保持手段として機能するズレ防止ロープ３１５が、両端部の間を横断するように設けられている。本実施の形態のズレ防止ロープ３１５は、紐状部材３１５ａと一部が開くリング部材３１５ｂとにより形成されている。ズレ防止ロープ３１５は、一端が作業者側の一方の柱部３１２に固定され、他端がリング部材３１５ｂにより作業者側の他方の柱部３１２に接続されていることで、作業者側の柱部３１２同士を結ぶように設けられている。
【００２８】
また、受け台３１には、表示シートＤの裏面の接着面から剥がし、ロール状とした剥離シートＥを保持するための剥離シート保持手段として機能する紐付きクリップ３１６が、端部のそれぞれに設けられている。この紐付きクリップ３１６は、紐付きクリップ３１６に連結する紐部材３１６ａが設置面側の柱部３１２にそれぞれ接続されている。
【００２９】
作業者は、このような治具３０の他に、ロープＲに作業者が装着した安全帯２０に設けられたリング部材２１に、足掛けロープ３３（図３参照）を取り付ける。本実施の形態では、足掛けロープ３３として、ロープ３３１とステップ３３２とリング部材３３３により形成されたものを使用しているが、足を置いて踏ん張ることができればよいので、単なるロープを円形状にしたものを使用してもよい。しかし、荷重を掛けても変形をしない方が荷重を掛けやすく両足を置くことも可能であるため、ステップ３３２を設けるのが望ましい。
【００３０】
更に、作業者は、作業に必要な工具を装着する（図示せず）。工具としては、表示シートＤを切断するためのカッターや、表示シートＤを貼り付けて均し、壁面Ｗとの間の空気を抜いて密着させるためのスキージなどが用いられる。これらの工具は、色分けされたロープによって繋がれており、反対側に設けられた安全ピンなどにより作業者の作業服に付けることで装着される。
【００３１】
作業者は、このような治具３０や足掛けロープ３１１、工具類を取り付け、ロール状の表示シートＤを受け台３１に載置して、屋上Ｔから壁面Ｗへ、ロープＲに吊り下がった状態で下降する。
そして、表示シートＤから剥離シートＥ（図４参照）を剥がしながら、表示シートＤを設置面である壁面Ｗに下降しながら貼り付ける。
【００３２】
このように、設置面の上部から下部に向かって下降しながら表示シートを設置面に順次設置する作業を行うことで、高所の作業においても足場を組む必要がないので、短期間に作業を終えることができる。従って、この表示シートの施工方法によれば、作業期間が短縮できると共に、施工コストが抑制できる。
【００３３】
作業者は、ロープＲによって吊り下げられているため、作業中に姿勢の変更などにより、作業者の姿勢が傾斜したり、治具３０が傾斜したりすることがある。その場合に、付け台３１に載置した表示シートＤが受け台３１からずれて落下するおそれがある。しかし、受け台３１には、ズレ防止ロープ３１５が設けられているため、表示シートＤが軸線方向となるズレ防止ロープ３１５を伝わってずれたとしても、柱部３１２より外側への移動が規制される。従って、表示シートＤの落下を防止することができるので、通行人などの安全を確保することができる。
【００３４】
ズレ防止ロープ３１５は、ロール状の表示シートＤの内部を挿通しているため、貼り付ける際に表示シートＤを回転させることができるので、支障なく作業を行うことができる。本実施の形態では、ズレ防止ロープ３１５を表示シートＤの内部を挿通させているが、軸線方向の移動が規制できれば、他の表示シート保持手段としてもよい。例えば、半管状の受け台３１の両端部に立壁を設けるようにしてもよい。しかし、作業中に表示シートＤが受け台３１から浮き上がり、立壁を越えて落下してしまう心配があるため、ズレ防止ロープ３１５を表示シートＤの内部を挿通させて安定させるのが望ましい。
【００３５】
表示シートＤを壁面Ｗに貼り付けていくと、表示シートＤから剥がした剥離シートＥは作業が進むに連れて徐々に長くなる。本実施の形態に係る治具３０では、受け台３１にロール状となった剥離シートＥを保持する紐付きクリップ３１６が剥離シート保持手段として設けられているので、不要となった剥離シートＥをロール状とした後に、端部を紐付きクリップ３１６により挟み込み保持させることができる。従って、余剰の剥離シートＥが作業の邪魔となることが防止できると共に、安全に作業を行うことができる。
【００３６】
ズレ防止ロープ３１５は作業者側の柱部３１２に取り付けられ、紐付きクリップ３１６は設置面側の柱部３１２に取り付けられていることで、剥離シートＥをロール状として、受け台３１の上に置くときには設置面側に位置させることになり、これから貼り付ける表示シートＤが作業者側に位置することになるため、互いが邪魔になってしまうことを防止することができるので、作業を効率よく行うことができる。
【００３７】
このような治具３０を用いて表示シートの施工工事を行うことで、ロープＲに吊り下がった状態で一人で作業を行うことができる。従って、高所の作業において足場を組む必要がないので、短期間に作業を終えることができる。また、治具３０はロープＲに吊り下げられていることで、ロール状の表示シートＤを含む治具３０の荷重は安全帯２０ではなく、ロープＲに掛かるので、作業者が治具３０を吊り下げても作業の負担にならない。
【００３８】
以上、本発明の実施の形態について説明してきたが、本発明は前記実施の形態に限定されるものではない。例えば、本実施の形態では、表示シートＤを建物Ｂの壁面Ｗに設置する作業を例に説明したが、広告塔に貼り付ける場合でも、本発明の施工工事および治具を適用することができる。
また、本実施の形態では、接着面に貼り付けられた剥離シートＥを剥がしながら表示シートＤを貼り付ける施工工事を例に説明したが、案内や広告が表示された板パネルを設置面に貼り付ける場合でも、本発明の表示シートの施工方法を適用することができる。
【産業上の利用可能性】
【００３９】
本発明は、建物の壁面や広告塔などの建築物に、案内や広告が表示された表示シートを設置する際に好適である。特に、裏面が接着面となったロール状の表示シートの設置には最適である。
【符号の説明】
【００４０】
１０  保護具
１１  リング部材
１２  紐部材
１３  面状ファスナー
２０  安全帯
３０  治具
３１  受け台
３１１  台本体
３１２  柱部
３１３  梁部
３１４  リング部材
３１５  ズレ防止ロープ
３１５ａ  紐状部材
３１５ｂ  リング部材
３１６  紐付きクリップ
３２  吊り下げ部材
３２１  紐状部材
３２２  リング部材
３３  足掛けロープ
３３１  ロープ
３３２  ステップ
３３３  リング部材
Ｂ  建物
Ｗ  壁面
Ｄ  表示シート
Ｅ  剥離シート
Ｓ  作業員
Ｒ  ロープ
Ｔ  屋上
ＷＴ  貯水タンク
【図１】
2012078587.tif 000003
【図２】
2012078587.tif 000004
【図３】
2012078587.tif 000005
【図４】
2012078587.tif 000006
【図５】
2012078587.tif 000007